(57)【要約】【課題】コンピュータ画面上にスクリュ等の二軸スクリュ式押出機の部品形状を容易、迅速に且つ統一的に作成することができ、もって個人差の影響が出ず客観的な評価、打合せ等が行えるとともにその変更、保存、送信などのデータ管理も容易なものとする。【解決手段】本発明は、ディスプレイなどの表示装置に二軸スクリュ式押出機の部品形状を描画して作成するために、描画データ表示手段３に表示された部品ピースから任意の描画データを選択することができる表示描画データ選択手段４と、描画データ選択手段１１により選択された描画データを連結描画する連結描画手段５とを備えた。【選択図】        図１
2004152095.tif 000002
【特許請求の範囲】
【請求項１】
表示装置を備え、該表示装置に二軸スクリュ式押出機の部品形状を描画して作成する二軸スクリュ式押出機の部品形状作成装置であって、
二軸スクリュ式押出機の所定の部品を構成する複数の部品ピースについての描画データを記憶する描画データ記憶手段と、
前記描画データ記憶手段に記憶された複数の部品ピースの描画データから任意の描画データを選択することができる描画データ選択手段と、
前記描画データ選択手段により選択された描画データを連結描画する連結描画手段と
を備えてなる二軸スクリュ式押出機の部品形状作成装置。
【請求項２】
請求項１に記載の二軸スクリュ式押出機の部品形状作成装置において、
前記所定の部品は、二軸スクリュ式押出機のスクリュ、シリンダ又はノズルのいずれか又はこれらの組合わせであることを特徴とする二軸スクリュ式押出機の部品形状作成装置。
【請求項３】
請求項１又は請求項２に記載の二軸スクリュ式押出機の部品形状作成装置において、
描画データ記憶手段に記憶された所定の部品における複数の部品ピースについての描画データを表示する描画データ表示手段を備え、
前記選択手段は、前記描画データ表示手段に表示された複数の描画データより任意の描画データを選択することを特徴とする二軸スクリュ式押出機の部品形状作成装置。
【請求項４】
請求項３に記載の二軸スクリュ式押出機の部品形状作成装置において、
前記描画データ表示手段により表示される部品ピースについての描画データを前記所定の部品に対応して切り替えて前記描画データ表示手段により表示させる描画データ表示切替手段を備えていることを特徴とする二軸スクリュ式押出機の部品形状作成装置。
【請求項５】
請求項１乃至請求項４のいずれかに記載の二軸スクリュ式押出機の部品形状作成装置において、
前記連結描画手段により連結描画された部品ピースの中から任意の部品ピースを選択して削除する削除手段を備えていることを特徴とする二軸スクリュ式押出機の部品形状作成装置。
【請求項６】
請求項１乃至請求項５のいずれかに記載の二軸スクリュ式押出機の部品形状作成装置において、
前記連結描画手段により連結描画された部品の所定の位置を指示する位置指定手段を備え、
前記連結描画手段は、前記位置指定手段により指示された位置に前記描画データ選択手段により選択された描画データを挿入して連結描画する挿入連結描画手段を更に備えていることを特徴とする二軸スクリュ式押出機の部品形状作成装置。
【請求項７】
請求項１乃至請求項６のいずれかに記載の二軸スクリュ式押出機の部品形状作成装置において、
前記連結描画手段により連結描画される部品ピースについての情報を表すリストを前記連結描画された部品ピースに対応させて表示するピース情報表示手段を備えていることを特徴とする二軸スクリュ式押出機の部品形状作成装置。
【請求項８】
請求項１乃至請求項７のいずれかに記載の二軸スクリュ式押出機の部品形状作成装置において、
前記連結描画手段は、連結描画される二つ以上の前記所定の部品を併記できることを特徴とする二軸スクリュ式押出機の部品形状作成装置。
【請求項９】
請求項１乃至請求項８のいずれかに記載の二軸スクリュ式押出機の部品形状作成装置において、
前記連結描画手段は、連結描画される部品を簡略的に表示する簡略的表示モードを有することを特徴とする二軸スクリュ式押出機の部品形状作成装置。
【請求項１０】
請求項１乃至請求項９のいずれかに記載の二軸スクリュ式押出機の部品形状作成装置において、
前記描画データ選択手段により選択された描画データを前記連結描画手段により連結描画する場合に、前記描画データのサイズを指定することができるサイズ指定手段を備えていることを特徴とする二軸スクリュ式押出機の部品形状作成装置。
【請求項１１】
請求項１乃至請求項１０に記載の二軸スクリュ式押出機の部品形状作成装置において、
前記連結描画手段により描画された描画データ及びそれに関連する所定データを記憶する記憶手段を備えていることを特徴とする二軸スクリュ式押出機の部品形状作成装置。
【請求項１２】
表示装置を備え、該表示装置に二軸スクリュ式押出機の部品形状を描画して作成する二軸スクリュ式押出機の部品形状作成方法であって、
二軸スクリュ式押出機の所定の部品を構成する複数の部品ピースについて予め記憶された描画データの中から、所定の部品を構成する複数の部品ピースについての描画データを表示して、任意の描画データを選択させる選択ステップと、
選択された描画データを連結して描画する描画ステップと
を備えてなる二軸スクリュ式押出機の部品形状作成方法。
【請求項１３】
請求項１２に記載の二軸スクリュ式押出機の部品形状作成方法において、
前記選択ステップにより選択された部品ピース毎に前記描画ステップにおける連結処理が行われて描画処理が実行されることを特徴とする二軸スクリュ式押出機の部品形状作成方法。
【請求項１４】
表示装置を備え、該表示装置に二軸スクリュ式押出機の部品形状を描画して作成することをコンピュータに実行させる二軸スクリュ式押出機の部品形状作成プログラムであって、
二軸スクリュ式押出機の所定の部品を構成する複数の部品ピースについての描画データを記憶する記憶ステップと、
記憶された描画データの中から、所定の部品を構成する複数の部品ピースについての描画データを表示して、任意の描画データを選択させる選択ステップと、
選択された描画データを連結して描画する描画ステップと
をコンピュータに実行させる二軸スクリュ式押出機の部品形状作成プログラム。
【請求項１５】
請求項１４に記載の二軸スクリュ式押出機の部品形状作成プログラムにおいて、
前記選択ステップにより選択された部品ピース毎に前記描画ステップにおける連結処理が行われて描画処理が実行されることを特徴とする二軸スクリュ式押出機の部品形状作成プログラム。
【発明の詳細な説明】
【０００１】
【発明の属する技術分野】
本発明は、コンピュータ上でデータベース化されたスクリュやシリンダなど二軸スクリュ式押出機の部品ピースを適宜選択し、連結させることで、スクリュやシリンダなどの二軸スクリュ式押出機の部品形状を作成できるようにした二軸スクリュ式押出機の部品形状作成装置、二軸スクリュ式押出機の部品形状作成方法、及び二軸スクリュ式押出機の部品形状作成プログラムに関するものである。
【０００２】
【従来の技術】
従来、二軸スクリュ式押出機のスクリュ形状やシリンダ形状を作成する場合は、手書きやＣＡＤなどの汎用ソフトを用いる手法により行っている。
【０００３】
【発明が解決しようとする課題】
従来の手法において、図面を用いる場合は、それをコピーしたりＦＡＸする場合に見辛いものとなり、互いに遠隔地においての打合せに困難を生じる。
またＣＡＤなど汎用ソフトを用いて作成した場合でも、スクリュなどの二軸スクリュ式押出機を構成する部品についての表記法は一般に統一されていないため、作成者以外の人にとっては理解し難いものとなる。
このように従来の手法である手書きやＣＡＤを用いて二軸スクリュ式押出機の部品形状を作成する場合、その作成者の個人差の影響を受ける場合が多く、作成者以外の人には見辛く、或いは理解し難い場合が生じ易く、その製作物を使用した複数人の打合せにおいては、その円滑な進行が妨げられるという問題もあった。
【０００４】
本発明は上述した問題点を解決するためになされたものであり、コンピュータの画面上にスクリュ等の二軸スクリュ式押出機の部品形状を容易、迅速に、且つ統一的に作成することができ、もって個人差の影響が出ず客観的な評価、打合せ等が行えるとともにその変更、保存、送信などのデータ管理も容易となる二軸スクリュ式押出機の部品形状作成装置、二軸スクリュ式押出機の部品形状作成方法、及び二軸スクリュ式押出機の部品形状作成プログラムを提供することを目的としている。
【０００５】
【課題を解決するための手段】
上述した課題を解決するため、本発明は、例えばディスプレイ等の表示装置を備え、該表示装置に二軸スクリュ式押出機の部品形状を描画して作成する二軸スクリュ式押出機の部品形状作成装置であって、二軸スクリュ式押出機の所定の部品を構成する複数の部品ピースについての描画データを記憶する描画データ記憶手段（例えばデータベースとしての描画データ記憶部１）と、前記描画データ記憶手段に記憶された複数の部品ピースの描画データから任意の描画データを選択することができる描画データ選択手段（例えばディスプレイ及び表示ソフト等から構成される描画データ表示手段３及び表示描画データ選択手段４とマウスやキーボード等から構成される操作手段２とから構成される）と、前記描画データ選択手段により選択された描画データを連結描画する連結描画手段５とを備えてなるものである。この場合、前記所定の部品は、二軸スクリュ式押出機のスクリュ、シリンダ又はノズルのいずれか又はこれらの組合わせであることを特徴とすることができる。また、前記描画データ記憶手段に記憶された所定の部品における複数の部品ピースについての描画データを表示する描画データ表示手段３を備え、前記描画データ選択手段は、前記描画データ表示手段３に表示された複数の描画データより任意の描画データを選択することを特徴とすることもできる。
【０００６】
また、本発明の二軸スクリュ式押出機の部品形状作成装置において、前記描画データ表示手段により表示される部品ピースについての描画データを前記所定の部品に対応して切り替えて前記描画データ表示手段により表示させる描画データ表示切替手段（部品指定手段６）を備えていることを特徴とすることができる。また、前記連結描画手段により連結描画された部品ピースの中から任意の部品ピースを選択して削除する削除手段８が備えられている。また、前記連結描画手段により連結描画された部品の所定の位置を指示する位置指定手段９を備え、前記連結描画手段は、前記位置指定手段により指示された位置に前記描画データ選択手段により選択された描画データを挿入して連結描画する挿入連結描画手段（例えば操作手段２、位置指定手段９、表示描画データ選択手段４により構成される）を更に備えていることを特徴とする。
【０００７】
また、本発明の二軸スクリュ式押出機の部品形状作成装置において、前記連結描画手段により連結描画される部品ピースについての情報を表すリストを前記連結描画された部品ピースに対応させて表示するピース情報表示手段１０を備えていることを特徴とすることができる。さらに、前記連結描画手段は、連結描画される二つ以上の前記所定の部品を併記できることを特徴とする。また、前記連結描画手段は、連結描画される部品を簡略的に表示する簡略的表示モードを有する。また、前記描画データ選択手段により選択された描画データを前記連結描画手段により連結描画する場合に、前記描画データのサイズを指定することができるサイズ指定手段７を備えている。さらに、前記連結描画手段により描画された描画データ及びそれに関連する所定データを記憶する記憶手段（作成データ記憶部１１）を備えている。
【０００８】
また、本発明は、表示装置を備え、該表示装置に二軸スクリュ式押出機の部品形状を描画して作成する二軸スクリュ式押出機の部品形状作成方法であって、二軸スクリュ式押出機の所定の部品を構成する複数の部品ピースについて予め記憶された描画データの中から、所定の部品を構成する複数の部品ピースについての描画データを表示して、任意の描画データを選択させる選択ステップと、選択された描画データを連結して描画する描画ステップとを備えてなるものである。この場合、前記選択ステップにより選択された部品ピース毎に前記描画ステップにおける連結処理が行われて描画処理が実行される。
【０００９】
また、本発明は、表示装置を備え、該表示装置に二軸スクリュ式押出機の部品形状を描画して作成することをコンピュータに実行させる二軸スクリュ式押出機の部品形状作成プログラムであって、二軸スクリュ式押出機の所定の部品を構成する複数の部品ピースについての描画データを記憶する記憶ステップと、記憶された描画データの中から、所定の部品を構成する複数の部品ピースについての描画データを表示して、任意の描画データを選択させる選択ステップと、選択された描画データを連結して描画する描画ステップとをコンピュータに実行させるものである。この場合に、前記選択ステップにより選択された部品ピース毎に前記描画ステップにおける連結処理が行われて描画処理が実行されることを特徴とする。
【００１０】
【発明の実施の形態】
以下、本発明の実施の形態を図面を用いて説明する。
図１は本発明の実施の形態を示すブロック図である。図１に示す二軸スクリュ式押出機の部品形状作成装置は、二軸スクリュ式押出機の所定の部品であるスクリュ、シリンダ、ノズルを構成する複数の部品ピースについての描画データを記憶する描画データ記憶部１と、画面、キーボード及びマウス等を用いて構成される操作手段２と、描画データ記憶部１に記憶された所定の部品における複数の部品ピースについての描画データを表示する描画データ表示手段３と、描画データ表示手段３に表示された描画データから希望する描画データを操作手段２の操作に基づいて選択する表示描画データ選択手段４と、表示描画データ選択手段４により選択された描画データを連結しつつ、連結された部品を描画する連結描画手段５と、操作手段２の操作に基づいて描画データ表示手段３に表示される描画データをスクリュ、シリンダ、ノズルの部品のいずれかに指定する部品指定手段６と、描画データ表示手段３から選択された部品ピースについてのサイズを操作手段２の操作に基づいて指定するサイズ指定手段７と、連結描画手段５に描画された部品から所定の部品ピースを操作手段２の操作に基づいて削除する削除手段８と、連結描画手段５に描画された部品の適所を操作手段２の操作に基づいて指定し、そこに新たな部品ピースを連結（又は挿入）する位置指定手段９とを備える。更に、操作手段２の操作に基づいて、連結描画手段５に描画されている部品の各ピースに対応する情報を部品に対応して表示する部品（ピース）情報表示手段１０と、連結描画されている部品の描画データ及び部品（ピース）情報表示手段１０に表示されている情報を作成データとして記憶する作成データ記憶部１１とを備えている。
【００１１】
実施の形態における二軸スクリュ式押出機の部品形状作成動作は、例えば図２のように示される。起動後、全スクリュ、シリンダ、ノズルのオブジェクト（部品ピース）が表示され（ステップＳ１）、まず、それらオブジェクトからスクリュを描画し（ステップＳ２）、次にシリンダを描画し（ステップＳ３）、更にノズルを描画する場合（ステップＳ４，ｙｅｓ）はオブジェクトからノズルを描画する（ステップＳ５）。その後、あるいはステップＳ４にてノズルを描画しない場合（ステップＳ４，ｎｏ）は直ちにファイルの保存が行われ（ステップＳ６）、印刷する場合は（ステップＳ７，ｙｅｓ）印刷（ステップＳ８）後、印刷を行わない場合（ステップＳ７，ｎｏ）はファイル保存（ステップＳ６）後に処理を終了する。
【００１２】
一つの部品、例えばスクリュについての描画動作の概略は、図３のように示され、先ず所定部品（スクリュ）の各ピースについての描画データが表示され（ステップＳ１１）、そこからあるピースの描画データが選択された場合は（ステップＳ１２，ｙｅｓ）はそのピースが連結描画される（ステップＳ１３）。ステップＳ１３の後、引き続き連結描画が行われる場合（ステップＳ１４，ｙｅｓ）はステップＳ１１に戻り、そうでない場合（ステップＳ１４，ｎｏ）は、処理を終了する。描画データの選択がされない場合（ステップＳ１２，ｎｏ）において、他の部品、例えばシリンダへの表示変更が行われた場合（ステップＳ１５，ｙｅｓ）はデータベースである描画データ記憶部からシリンダのピースについての描画データの読み出しが行われ（ステップＳ１６）、ステップＳ１１に戻る。表示変更がされない場合（ステップＳ１５，ｎ）はステップＳ１４に移行する。
【００１３】
以下、上記動作をより詳細に説明するため、スクリュ描画、シリンダ描画、ノズル描画及びそれらに関連する動作について、表示装置の遷移画面に従って説明する。
【００１４】
（スクリュ描画１／９）
ソフトウェア起動時に図４に示されるウインドウＡに二軸スクリュ混練機（押出機）の代表的なスクリュのオブジェクト（ピース）が描画されている（このウインドウＡは描画データ表示手段を構成している）。ここで示されるスクリュピースの種類は２４種類、先端に単軸部をもつ押出機の場合は先端の単軸スクリュ（ＤＩＳＣＨＡＲＧＥ）がＳＬＯＴＲＩＮＧがある場合と無い場合の２種類用意されている。ここで、オブジェクトウィンドウは、図５に示すように「表示／オブジェクトウィンドウ」で表示場所を指定することで任意の位置、フォームに設定が行える。図４では、画面左に表示されていたが、例えば図６のように表示させることもできる。
【００１５】
（スクリュ描画２／９）
次に、図７に示されるように、構成したいスクリュピースをオブジェクトウインドウで選択（マウスをクリック）し、クリックしたままＢウインドウ（描画ウインドウ）へ持っていく（ドラッグ＆ドロップ）。または、オブジェクトウィンド上で構成したいスクリュピースをダブルクリックするだけでも良い。すると、スクリュはスクリュ追加ポイント（図７の矢印部Ｃ）に追加される。
そして、図８に示すように、構成スクリュをドロップ（マウスクリックの解除）すると、プロパティウインドウが表示される。
【００１６】
スクリュピースの描画演算式（方法）
スクリュピースの描画形状は、入力される形状の種類、長さ（Ｌ／Ｄ）、リード長（Ｌ／Ｄ）、条数、組数により決定される。
ここで、左右方向の描画長は、直径を１とした長さ（Ｌ／Ｄ）の比率とする。
ニーディングの場合、図９に示すように、その左右方向の描画長を組数で割った幅ごとに縦直線を描画する。フライトの場合、図１０に示すように、斜線の本数は以下の式によって決定される。
斜線の本数  ＝  長さ（Ｌ／Ｄ）×条数／リード長（Ｌ／Ｄ）＋  条数−１
斜線の本数は整数とし、０（ゼロ）になる場合は１とする。
また、左下から斜線をｎとすると、左上から右下への対角より左下の斜線の始点は、
Ｘ座標  ：  ０
Ｙ座標  ：  直径  −  直径／条数  ×  ｎ
右上の斜線の始点は、
Ｘ座標  ：  （  ｎ  −  条数  ）  ×  リード長（Ｌ／Ｄ）／  条数
Ｙ座標  ：  ０
となる。
【００１７】
ｎ  ×リード長（Ｌ／Ｄ）／  条数  が長さ（Ｌ／Ｄ）よりも長い場合の斜線の終点は、
Ｘ座標  ：  長さ（Ｌ／Ｄ）
Ｙ座標  ：  直径  −（ｎ×  リード長（Ｌ／Ｄ）／  条数  −  長さ（Ｌ／Ｄ））  ×  直径  ／  リード長（Ｌ／Ｄ）
短い場合の終点は、リード長（Ｌ／Ｄ）／  条数
Ｘ座標  ：  ｎ  ×リード長（Ｌ／Ｄ）／  条数
Ｙ座標  ：  直径
となる。上記始点と終点を結ぶ直線を描くことにより、フライトを描画する。
【００１８】
（スクリュ描画４／９）
プロパティウインドウには「標準」タブ（図１１）、「拡張」タブ（図１２）と「その他」タブ（図１３）がある。「標準」タブではスクリュ長さ（Ｌ／Ｄ）、リード長（Ｌｅａｄ）、ズラシ角、溝深さ、条数、外径、コメントの入力項目がある。この中で、Ｌ／Ｄ，  Ｌｅａｄ，  ズラシ角，溝深さ，  条数は必ず入力しなければならないが、それ以外の項目は入力しなくてもよい。「拡張」タブでは接近、刻印番号、材質、スペアの入力項目がある。これらの項目は入力しなくてもよい。「その他」タブでは組数、ＲＣ、Ｌ、列数、切欠数の入力項目がある。これらの項目は必ず入力しなければならない。
【００１９】
この中で、スクリュピースの種類を示すＦＦ，  ＢＦ，  ＦＭＴ，  ＢＭＴ，  ＨＳＦ，  ＴＲＡＮＳ．ＨＳＦ−＞ＦＦ，ＴＲＡＮＳ．ＦＦ−＞ＨＳＦ，  ＳＦ，  ＴＲＡＮＳ．ＳＦ−＞ＦＦ，  ＴＲＡＮＳ．ＦＦ−＞ＳＦ，ＦＲ，  ＢＲで示されるスクリュピースは、「標準」タブでズラシ角の入力は必要ない。また、「その他」タブは表示されない。ＦＭＳ，  ＢＭＳスクリュは、「標準」タブでズラシ角と条数の入力は必要ない。「その他」タブでは切欠数のみを入力する。ＬＦ，  ＢＬＦのスクリュは、「標準」タブでズラシ角と条数の入力は必要ない。また、「その他」タブは表示されない。
【００２０】
スクリュピースの種類を示すＦＫ，  ＢＫ，  ＣＫ，  ＮＫで示されるスクリュピースは、「標準」タブでＬｅａｄの入力は必要ない。また、「その他」タブでは組数のみを入力する。また、スクリュピースの種類を示すＦＴＫＲ−Ｆ，  ＦＴＫＲ−Ｂ，  ＢＴＫＲ−Ｆ，  ＢＴＫＲ−Ｂ，  ＣＴＫＲ−Ｆ，  ＣＴＫＲ−Ｂで示されるスクリュピースは「その他」タブで組数のみを入力する。また、ＣＴＫＲ−Ｆ，  ＣＴＫＲ−Ｂは「標準」タブでズラシ角の入力は必要ない。ＦＧＫＤ，  ＢＫＧＤのスクリュは、「標準」タブでＬｅａｄとズラシ角の入力は必要ない。「その他」タブでは列数のみを入力する。ＳＲは「標準」タブでＬｅａｄ、ズラシ角と条数の入力は必要ない。「その他」タブではＲＣとＬのみを入力する。ＴＲ，  ＴＲＡＮＳ．  ＴＲＡＮＳ．１−＞２，  ＴＲＡＮＳ．２−＞１，  ＯＴＨＥＲは「標準」タブでＬｅａｄ、ズラシ角と条数の入力は必要ない。「その他」タブは表示されない。
【００２１】
ＤＩＳＣＨＡＲＧＥスクリュは「標準」タブでＬ／Ｄ，  Ｌｅａｄとズラシ角の入力は必要ない。「その他」タブは表示されない。また、図１４に示す「ＤＩＳＣＨＡＲＧＥ」タブが表示され、４分割された各領域のＬ／ＤとＬｅａｄを入力する。ＤＩＳＣＨＡＲＧＥ  ＳＲスクリュは「標準」タブでＬ／Ｄ，  Ｌｅａｄとズラシ角の入力は必要ない。「その他」タブではＳＬＯＴ  ＲＩＮＧのＲＣとＬのみを入力する。また、「ＤＩＳＣＨＡＲＧＥ」タブが表示され、４分割された各領域のＬ／ＤとＬｅａｄを入力する。なお、ＤＩＳＣＨＡＲＧＥスクリュを構成すると押出機先端とプログラムが判断し、それより先端にはスクリュ追加ができなくなる。
【００２２】
（スクリュ描画５／９）
図７，図８の動作に従いＦＦを構成する場合、図１５（ａ），（ｂ）に示す入力を行うと、図１６に示すようにスクリュ描画ウインドウにスクリュが追加（連結描画）され、それぞれの入力項目が表形式で表示される。スクリュが構成されるとスクリュ追加ポイントは構成されたスクリュの後に移動する。つまり、マニュアル操作でスクリュ追加ポイントを移動させない限り、スクリュは自動的に軸根本から先端へ向かって順次構成される。
【００２３】
次にスクリュを追加（連結描画）したい場合は上述したスクリュ描画２／９〜５／９の操作を繰り返せばよい（図１７参照）。
【００２４】
（スクリュ描画６／９）
また、既に構成されている同じタイプのスクリュを追加したい場合は、図１８に示すように、そのスクリュを選択し「コピー」し、次いで図１９に示すように「貼り付け」を行えばよい。なお、スクリュを別の場所へ移動させたい場合は、切り取り＆貼り付けコマンドを行う。一方、そのスクリュを削除したい場合は、図１８で削除を選択するか、スクリュを選択した状態でＤｅｌｅｔｅキーを押せばよい。
【００２５】
（スクリュ描画７／９）
また、多数のスクリュをまとめてコピーしたい場合は、図２０と図２１に示すように、Ｓｈｉｆｔキーを押しながらマウスで選択あるいはマウスでまとめて選択（クリックしたままマウスを移動し囲む）し、スクリュ描画６／９（図１８、図１９）の要領でコピー＆貼り付けを行えばよい。
【００２６】
（スクリュ描画８／９）
一度描画ウインドウに構成したスクリュの長さ（Ｌ／Ｄ）やＬｅａｄを変更させたい場合は図２２に示すように、「プロパティ」ウィンドウを開き、値を変更する。
図２３に示すように、Ｌ／ＤとＬｅａｄを変更すると、図２４に示すように描画ウインドウに表示されるスクリュサイズが自動変更される。
【００２７】
（スクリュ描画９／９）
図２５に示すスクリュ構成の終了描画ウインドウにおいて、Ｄにスクリュ全体が描画される。また、Ｅにスクリュパラメータ・コメントが描画される。また、Ｆにスクリュ数量リストが描画される。そして、Ｇにスクリュ全長（Ｌ／Ｄ）が表示される。図２５のウィンドウ表示において、それぞれ以下の手法により描画を行う。
【００２８】
（スクリュ全体の描画）
スクリュ全体の描画は、スクリュ軸を基準として各スクリュピースを描画し、長さ（Ｌ／Ｄ）分だけ描画基準位置をずらしていくことを先端まで繰り返す。
【００２９】
（スクリュパラメータ・コメントの描画）
スクリュ下のパラメータ・コメント表は、スクリュ全体の描画と同様にスクリュ軸を基準として先端まで描画を行うが、数値・文字を表示するため、描画基準位置をずらす最小単位は、文字が表示できる幅とする。
【００３０】
（スクリュ数量リストの描画）
スクリュピースが追加・削除される度に、スクリュピースの数量を自動計算し、画面下方へ描画する。
【００３１】
（シリンダ描画１／５）
オブジェクトウィンドウを「シリンダ」ウィンドウに変更する。オブジェクトウィンドウには、図２６にＨで示すように、二軸スクリュ押出機の代表的なシリンダのオブジェクトが描画されている。シリンダの種類が２１用意されている。
【００３２】
シリンダ描画においては、以下の手法を用いる。
（シリンダブロックの描画）
シリンダブロックの描画形状は、入力される形状の種類、長さ（Ｌ／Ｄ）により決定される。
左右方向の描画長は、直径を１とした長さ（Ｌ／Ｄ）の比率とする。
【００３３】
（シリンダ描画２／５）
構成したいシリンダをオブジェクトウインドウで選択（マウスをクリック）し、クリックしたまま描画ウインドウへ持っていく（ドラッグ＆ドロップ）。または、オブジェクトウィンド上で構成したいシリンダをダブルクリックするだけでも良い。この場合、シリンダは図２７に矢印Ｉで示すように、シリンダ追加ポイントに追加される。
【００３４】
次に、図２８に示すように、構成シリンダをドロップ（マウスクリックの解除）するとプロパティウインドウが表示される。入力項目は、シリンダ長さ（Ｌ／Ｄ）とコメントである。シリンダ長さは必ず入力しなければならないが、コメントは特に入力しなくても良い。サイドフィードシリンダについては、Ｌ／Ｄを入力する必要はない（入力できない）。
【００３５】
シリンダ長さが入力されると、図２９に示すように、シリンダが指定の長さで描画される。コメントはシリンダ上部に表示される。シリンダ追加ポイントは押出機先端側（右）に移動する。
【００３６】
（シリンダ描画３／５）
次にシリンダを追加する場合は、上述のシリンダ描画２／５の工程を繰り返せばよい。既に描画されているものと同じタイプのシリンダを構成する場合には、スクリュ描画と同様、図３０、図３１に示すように、コピー＆貼り付けで追加できる。
【００３７】
複数のシリンダを同時にコピー＆貼り付けする場合は、スクリュ描画と同様、マウス操作でまとめて選択し複製することができる。図３２に示すように、連続しないシリンダを同時にコピー＆貼り付けする場合は、Ｓｈｉｆｔキー＋マウスクリックで操作できる。この操作で張り付けを行ったシリンダは隣り合わせで描画される。図３２を例にすると、Ｃ１とＣ３をコピーしＣ４とＣ５が作成された場合、Ｃ１がＣ４として、Ｃ３がＣ５として描画される。
【００３８】
（シリンダ描画４／５）
一度描画したシリンダの長さを変更したい場合は、図３３に示すようにプロパティウインドウを起動し、図３４に示すように値を変更する。値を変更しＯＫとすると、図３５に示すように指定したシリンダ長で再描画される。なお、描画したシリンダを別の場所へ移動したい場合は、スクリュ描画の操作と同様、図３３の画面で切り取り操作を行い、シリンダ追加ポインタを移動し貼り付けを行えばよい。また、描画したシリンダを削除したい場合は、図３３の画面で削除を操作するか、シリンダを選択しＤｅｌｅｔｅキーを押す。
【００３９】
（シリンダ描画５／５）
シリンダ構成を終了する場合は、図３６で示すＪに全シリンダ長（Ｌ／Ｄ）が表示されるので、先に表示されているスクリュ長との関係が保たれているか確認する。
【００４０】
（ノズル描画１／２）
図３７に示すように、オブジェクトウィンドウを「その他」ウィンドウに変更する。オブジェクトウィンドウには代表的なノズルのオブジェクトが３種類描画されている。
【００４１】
次に図３８に示すように、描画したいノズルをオブジェクトで選択し、描画ウィンドウへ移動（ドラッグ＆ドロップ）する。ノズルに関してはスクリュやシリンダの様な追加ポイントは無く、自由に描画できるので、図３８の画面でドロップした場所に描画される（図３９参照）。
【００４２】
（ノズル描画２／２）
次に、描画したノズルを移動する場合は、図４０に矢印で示すように、マウスでクリックしたまま移動させることができる。
また、ノズルを拡大描画させたい場合は、図４１に示すように、描画したノズルを選択し、自由に拡大・縮小させることができる。
【００４３】
一度描画したノズルを複製する場合は、図４２に示すように、スクリュ・シリンダと同様の操作でコピー＆貼り付けを行う。削除する場合も同様である。
【００４４】
（ファイル操作１／５）
保存ファイルのコメント付与においては、本ソフトウェアではファイルを保存するときに、構成したスクリュ形状が何の目的で作成したものかのコメントを付与することができる。コメントの付与は、図４３に示すように、「ファイルのプロパティ」で行う。ファイルのプロパティウインドウは図４４に示すように、それぞれの欄に自由にコメントを記入することができる。
コメント入力を行いファイルを保存すると、次回ファイルを開くときに多数のファイルから目的のファイルを見つけるのが容易であったり、他の人がファイルを使用する場合にも一目瞭然となる長所がある。また、スクリュ形状のみでは対象材料の判断がつき難いが、コメントを付与しておけば一目瞭然である。この付与したコメントを参照しながらファイルを開くときには、図４３のファイル操作で「一覧から開く」でファイル読み込みを行う（通常の「開く」ウィンドウは図４５となる）。「一覧から開く」を行うと、図４６のウィンドウが表示され、図４４で入力したコメントが一覧表示される。
【００４５】
（ファイル操作２／５）
ファイルの保存において、スクリュ形状を新規作成し初めて保存する場合（図４３のファイル操作で「上書き保存」）や、一度保存したファイルを別名で保存する場合（図４３で「名前をつけて保存」）には、図４７に示すウィンドウが表示される。ファイルの種類（拡張子）はｓｃｗと自動的に保存されるので、ファイル名を決定し保存する。一度保存したファイルを上書き保存する場合は特にウィンドウは表示されず、自動保存される。
【００４６】
（ファイル操作３／５）
表示の切り替えにおいては、メニューから表示形式を開くと図４８の表示形式ウィンドウが開く。表示形式ウィンドウに対応する描画ウィンドウは図４９に示す通りである。これらで表示する必要のないものは、図４８のチェックマークを外せば非表示となる。なお、印刷を行う場合もこの表示形式ウィンドウで設定した通りの画面が印刷される。図４８のスクリュ形状について、詳細なスクリュ形状を表示する必要がない場合は、「混練部以外を合成」「混練部／混練部以外を合成」表示を行う。それぞれに対応するスクリュ表示パターンは図５０に示すとおりである。
【００４７】
（ファイル操作４／５）
もう一つの他の表示の切り替えとして、メニューから「ウィンドウ−オプション」を開くと図５１に示すオプションウィンドウが開く。ここで「グラデーション表示」を行うと、図５２に示すとおり立体表示になる。ただし、印刷ではグラデーション表示はされない。
【００４８】
（ファイル操作５／５）
印刷においては、図４３に示したメニューから「印刷」を選択すると、図５３に示す印刷ウィンドウが表示される。プリンタと印刷枚数を設定してＯＫを押すと印刷が開始される。ここで印刷プレビューを選択するか、メニューで「印刷プレビュー」を開くと図５４に示すウィンドウが表示される。印刷はこの画面と同様に行われる。
【００４９】
【発明の効果】
上述したように、本発明によれば、コンピュータの画面上にスクリュ等の二軸スクリュ式押出機の部品形状を容易、迅速に、且つ統一的に作成することができ、もって個人差の影響が出ず客観的な評価、打合せ等が行えるとともにその変更、保存、送信などのデータ管理も容易になるという効果を奏する。
【図面の簡単な説明】
【図１】実施の形態を示すブロック図である。
【図２】全体動作を示すフローチャートである。
【図３】描画動作を示すフローチャートである。
【図４】オブジェクトウィンドウを示す図である。
【図５】オブジェクトウィンドウの表示場所の設定方法その１を示す図である。
【図６】オブジェクトウィンドウの表示場所の設定方法その２を示す図である。
【図７】スクリュピースの選択方法を示す図である。
【図８】構成スクリュをドロップした場合の動作を示す図である。
【図９】ニーディングの場合におけるスクリュピースの描画演算方法を説明するための図である。
【図１０】フライトの場合におけるスクリュピースの描画演算方法を説明するための図である。
【図１１】プロパティウインドウの標準タブを示す図である。
【図１２】プロパティウインドウの拡張タブを示す図である。
【図１３】プロパティウインドウのその他タブを示す図である。
【図１４】プロパティウインドウのＤＩＳＣＨＡＲＧＥタブを示す図である。
【図１５】スクリュピースＦＦを構成する場合の入力画面を示す図である。
【図１６】スクリュ描画ウインドウでのスクリュピースの追加（連結描画）を示す図である。
【図１７】図１６のスクリュ構成に更にスクリュピースを追加する場合を示す図である。
【図１８】スクリュピースの選択、コピー動作を示す図である。
【図１９】スクリュピースの貼り付け動作を示す図である。
【図２０】多数のスクリュピースの同時選択、コピー動作を示す図である。
【図２１】多数のスクリュピースの同時貼り付け動作を示す図である。
【図２２】描画ウインドウに構成したスクリュの長さを変更させる場合のプロパティを示す図である。
【図２３】プロパティの変更画面を示す図である。
【図２４】スクリュサイズが変更された場合のスクリュを示す図である。
【図２５】スクリュ構成が完了したときの各種情報を示した画面の図である。
【図２６】シリンダのオブジェクトウインドウを示す図である。
【図２７】シリンダピースの選択方法を示す図である。
【図２８】構成シリンダをドロップした場合の動作を示す図である。
【図２９】図２８の動作により描画されたシリンダを示す図である。
【図３０】シリンダピースの選択とコピー動作を示す図である。
【図３１】シリンダピースの貼り付け動作を示す図である。
【図３２】複数シリンダを同時にコピー貼り付けする場合の動作を示す図である。
【図３３】描画ウインドウに構成したシリンダの長さを変更させる場合のプロパティを示す図である。
【図３４】プロパティの変更画面を示す図である。
【図３５】シリンダ長が変更された場合のシリンダを示す図である。
【図３６】シリンダ構成が完了したときの画面を示す図である。
【図３７】ノズルのオブジェクトを示す図である。
【図３８】ノズルの選択、移動動作を示す図である。
【図３９】ノズルが連結された状態を示す図である。
【図４０】ノズルの移動動作を示す図である。
【図４１】ノズルの拡大描画の動作を示す図である。
【図４２】ノズルの複製動作を示す図である。
【図４３】ファイル保存に際してプロパティ画面の呼び出し動作を示す図である。
【図４４】ファイル保存に際してのプロパティ画面を示す図である。
【図４５】通常のウインドウの「開く」動作を示す図である。
【図４６】ウインドウの「一覧から開く」動作を示す図である。
【図４７】ファイルの保存動作を示す図である。
【図４８】メニューを用いて「表示−表示の切り替え」を開いたときの表示形式ウインドウを示す図である。
【図４９】図４８の表示形式ウインドウに対応する描画ウインドウを示す図である。
【図５０】スクリュ表示パターン例を示す図である。
【図５１】オプションウインドウを示す図である。
【図５２】グラデーション表示を示す図である。
【図５３】印刷ウインドウを示す図である。
【図５４】印刷プレビューを示す図である。
【符号の説明】
１  描画データ記憶部、２  操作手段、３  描画データ表示手段、４  表示描画データ選択手段、５  連結描画手段、６  部品指定手段、７  サイズ指定手段、８  削除手段、９  位置指定手段、１０  部品（ピース）情報表示手段、１１
作成データ記憶部。
【図１】
2004152095.tif 000003
【図２】
2004152095.tif 000004
【図３】
2004152095.tif 000005
【図４】
2004152095.tif 000006
【図５】
2004152095.tif 000007
【図６】
2004152095.tif 000008
【図７】
2004152095.tif 000009
【図８】
2004152095.tif 000010
【図９】
2004152095.tif 000011
【図１０】
2004152095.tif 000012
【図１１】
2004152095.tif 000013
【図１２】
2004152095.tif 000014
【図１３】
2004152095.tif 000015
【図１４】
2004152095.tif 000016
【図１５】
2004152095.tif 000017
【図１６】
2004152095.tif 000018
【図１７】
2004152095.tif 000019
【図１８】
2004152095.tif 000020
【図１９】
2004152095.tif 000021
【図２０】
2004152095.tif 000022
【図２１】
2004152095.tif 000023
【図２２】
2004152095.tif 000024
【図２３】
2004152095.tif 000025
【図２４】
2004152095.tif 000026
【図２５】
2004152095.tif 000027
【図２６】
2004152095.tif 000028
【図２７】
2004152095.tif 000029
【図２８】
2004152095.tif 000030
【図２９】
2004152095.tif 000031
【図３０】
2004152095.tif 000032
【図３１】
2004152095.tif 000033
【図３２】
2004152095.tif 000034
【図３３】
2004152095.tif 000035
【図３４】
2004152095.tif 000036
【図３５】
2004152095.tif 000037
【図３６】
2004152095.tif 000038
【図３７】
2004152095.tif 000039
【図３８】
2004152095.tif 000040
【図３９】
2004152095.tif 000041
【図４０】
2004152095.tif 000042
【図４１】
2004152095.tif 000043
【図４２】
2004152095.tif 000044
【図４３】
2004152095.tif 000045
【図４４】
2004152095.tif 000046
【図４５】
2004152095.tif 000047
【図４６】
2004152095.tif 000048
【図４７】
2004152095.tif 000049
【図４８】
2004152095.tif 000050
【図４９】
2004152095.tif 000051
【図５０】
2004152095.tif 000052
【図５１】
2004152095.tif 000053
【図５２】
2004152095.tif 000054
【図５３】
2004152095.tif 000055
【図５４】
2004152095.tif 000056